(57)【要約】【課題】現在受信している放送信号の受信状態が変化したときに、自動的に同一番組を放送している他の放送局又は送信局に切換えて同一番組の受信状態を継続する。【解決手段】移動体の現在位置を検出する現在位置検出手段９と、放送信号を送信する送信局に関する情報及び前記送信局の位置情報を少なくとも保持する放送情報保持手段１０と、放送信号を受信する放送信号受信手段３と、この放送信号受信手段の受信状態の変化を検出する受信状態変化検出手段７と、この受信状態変化検出手段で受信状態が悪化したことを検出した場合に、前記放送情報保持手段１０から前記現在位置で受信可能な、前記選択送信局から送信される放送信号と同一の放送信号を送信する送信局を検索する送信局検索手段７と、前記検索された送信局に関する情報に基づいて、前記放送信号受信手段で受信する放送信号を送信する送信局の切換えを行う送信局切換手段７とを備えている。【選択図】図１
2008211288.tif 000002
【特許請求の範囲】
【請求項１】
移動体に搭載された移動体放送受信装置であって、
前記移動体の現在位置を検出する現在位置検出手段と、
放送信号を送信する送信局に関する情報及び前記送信局の位置情報を少なくとも保持す
る放送情報保持手段と、
所望の送信局から送信される放送信号を受信する放送信号受信手段と、
前記放送信号受信手段の受信状態の変化を検出する受信状態変化検出手段と、
前記受信状態変化検出手段で受信状態が悪化したことを検出した場合に、前記現在位置
及び前記放送信号受信手段で受信中の放送信号を送信する選択送信局に関する情報に基づ
いて、前記放送情報保持手段から前記現在位置で受信可能な、前記選択送信局から送信さ
れる放送信号と同一の放送信号を送信する送信局を検索する送信局検索手段と、
前記検索された送信局に関する情報に基づいて、前記放送信号受信手段で受信する放送
信号を送信する送信局の切換えを行う送信局切換手段と
を備えていることを特徴とする移動体放送受信装置。
【請求項２】
前記放送情報保持手段は、少なくとも無線通信手段を介して接続される外部記憶装置で
構成されていることを特徴とする請求項１に記載の移動体放送受信装置。
【請求項３】
前記放送情報保持手段は、前記送信局が送信する番組表情報を保持していることを特徴
とする請求項１又は２に記載の移動体放送受信装置。
【請求項４】
前記放送情報保持手段は、前記送信局の放送ネットワーク系列局情報を保持しているこ
とを特徴とする請求項１又は２に記載の移動体放送受信装置。
【請求項５】
前記受信状態変化検出手段は、前記放送信号受信手段で受信する放送信号のレベルが設
定レベル以下となったときに受信状態が悪化したことを検出するように構成されているこ
とを特徴とする請求項１乃至４の何れか１項に記載の移動体放送受信装置。
【請求項６】
前記放送情報保持手段は、前記放送信号を送信する送信局の送信範囲情報を保持し、
前記受信状態変化検出手段は、前記送信範囲情報と前記現在位置検出手段で検出した現
在位置とに基づいて、前記現在位置が前記選択送信局の送信範囲の外周近傍位置である場
合に受信状態が悪化したことを検出するように構成されていることを特徴とする請求項１
乃至４の何れか１項に記載の移動体放送受信装置。
【請求項７】
移動体に搭載された、放送信号を送信する送信局に関する情報及び前記送信局の位置情
報を少なくとも保持する放送情報保持手段と、所望の送信局から送信される放送信号を受
信する放送信号受信手段と、を備える移動体放送受信装置の制御方法であって、
前記移動体の現在位置を検出する現在位置検出工程と、
前記放送信号受信手段の受信状態の変化を検出する受信状態変化検出工程と、
前記受信状態変化検出工程で受信状態が悪化したことを検出した場合に、前記現在位置
及び前記放送信号受信手段で受信中の放送信号を送信する選択送信局に関する情報に基づ
いて、前記放送情報保持手段から前記現在位置で受信可能な、前記選択送信局から送信さ
れる放送信号と同一の放送信号を送信する送信局を検索する送信局検索工程と、
前記検索された送信局に関する情報に基づいて、前記放送信号受信手段で受信する放送
信号を送信する送信局の切換えを行う送信局切換工程と、
から構成されることを特徴とする移動体放送受信装置の制御方法。
【発明の詳細な説明】
【技術分野】
【０００１】
本発明は、車両等の移動体に搭載してテレビ放送、ラジオ放送等を受信する移動体放送
受信装置に関する。
【背景技術】
【０００２】
従来、移動体放送受信装置としては、例えば車載用テレビ受像機で、テレビ受像機の現
在の受信位置をＧＰＳレシーバで検出し、親局とサテライト局の各周波数別の受信領域を
記憶している周波数別受信領域記憶ＲＯＭを使用して、受信領域選択用マイクロコンピュ
ータにより照合し、チューニング制御回路で自車位置の含まれる受信領域の放送局の周波
数に自動的に切替えるか、又はアンテナから受信されたテレビ電波は、チューナでＩＦ信
号に変換され、テレビリニア回路から出力されるＲＦＡＧＣ信号に基づいて、受信レベル
検出回路でテレビ電波の受信レベルが検出される。この検出された受信レベルに基づいて
、受信領域選択用マイクロコンピュータにより選局するようにしたテレビ受像機が提案さ
れている（例えば、特許文献１参照）。
【０００３】
また、通常はシステム制御部からの制御によってダイバーシティ受信により移動体での
安定した受信を行って番組再生をし、定期的に一方のＲＦ／復調部で番組再生を行うとと
もに、他方のＲＦ／復調部を使って受信可能な周波数チャンネル１３ＣＨから６２ＣＨま
で（地上デジタル放送の場合）シークを行ない、このシークの結果を選局管理用データと
してメモリに記憶しておき、受信エリアを移動した場合に前記メモリ内の選局管理用デー
タを用いて復調を行うようにしたデジタル放送受信装置も提案されている（例えば、特許
文献２参照）。
【特許文献１】特開平６−２６８９３４号公報（第１頁、図１）
【特許文献２】特開２００５−２１７６８１号公報（第１頁、図１）
【発明の開示】
【発明が解決しようとする課題】
【０００４】
しかしながら、上記特許文献１に記載された従来例にあっては、親局とサテライト局と
の間での受信切替えが行われるだけであり、親局やサテライト局の放送範囲から逸脱した
場合には、同一番組を視聴することができないという未解決の課題がある。
また、上記特許文献２に記載された従来例にあっては、定期的に一方のＲＦ／復調部で
番組再生を行うとともに、他方のＲＦ／復調部を使って受信可能な周波数チャンネルのシ
ークを行ってそのシーク結果を選局管理用データとしてメモリに記憶するので、受信エリ
アを移動した場合にメモリ内の選局管理用データを用いて復調を行うことができるが、こ
の場合の選局はあくまでユーザーが行わなければならないと共に、同一番組を自動的に連
続して視聴することはできないという未解決の課題がある。
【０００５】
そこで、本発明は、上記従来例の未解決の課題に着目してなされたものであり、現在受
信している放送信号の受信状態が変化したときにおいても、自動的に同一番組の受信状態
を継続することができる移動体放送受信装置を提供することを目的としている。
【課題を解決するための手段】
【０００６】
上記目的を達成するために、本発明の第１の技術手段に係る移動体放送受信装置は、移
動体に搭載された移動体放送受信装置であって、前記移動体の現在位置を検出する現在位
置検出手段と、放送信号を送信する送信局に関する情報及び前記送信局の位置情報を少な
くとも保持する放送情報保持手段と、所望の送信局から送信される放送信号を受信する放
送信号受信手段と、前記放送信号受信手段の受信状態の変化を検出する受信状態変化検出
手段と、前記受信状態変化検出手段で受信状態が悪化したことを検出した場合に、前記現
在位置及び前記放送信号受信手段で受信中の放送信号を送信する選択送信局に関する情報
に基づいて、前記放送情報保持手段から前記現在位置で受信可能な、前記選択送信局から
送信される放送信号と同一の放送信号を送信する送信局を検索する送信局検索手段と、前
記検索された送信局に関する情報に基づいて、前記放送信号受信手段で受信する放送信号
を送信する送信局の切換えを行う送信局切換手段とを備えていることを特徴としている。
【０００７】
この第１の技術手段では、放送局又は送信局から放送信号を受信して所望の番組を視聴
又は聴取している状態で、放送信号受信手段での受信状態が悪化したことを検出した場合
に、現在位置と受信中の送信局情報とに基づいて放送情報保持手段で保持している情報を
検索して現在位置近傍の同一番組の放送信号を送信する送信局を探索し、探索した送信局
情報に基づいて受信放送信号の切換えを行うので、それまで視聴又は聴取していた番組を
継続して受信することができる。
【０００８】
また、本発明の第２の技術手段に係る移動体放送受信装置は、上記第１の技術手段にお
いて、前記放送情報保持手段は、無線通信手段を介して接続される外部記憶装置で構成さ
れていることを特徴としている。
この第２の技術手段では、放送情報保持手段を外部記憶装置とすることで、移動体放送
受信装置のメモリ容量を少なくすることができるし、大容量の放送情報を記憶することが
できる。
【０００９】
さらに、本発明の第３の技術手段に係る移動体放送受信装置は、上記第１又は第２の技
術手段において、前記放送情報保持手段は、前記送信局が送信する番組表情報を保持して
いることを特徴としている。
この第３の技術手段では、各放送局の番組表情報を保持しているので、同一番組を放送
している近隣の放送局を正確に探索することができ、同一番組を継続して受信することが
できる。
【００１０】
さらにまた、本発明の第４の技術手段は、上記第１又は第２の技術手段において、前記
放送情報保持手段は、前記送信局の放送ネットワーク系列局情報を保持していることを特
徴としている。
この第４の技術手段では、各放送局の放送ネットワーク系列局情報を保持しているので
、現在視聴又は聴取している番組と同一番組を放送している近隣の系列局を探索すること
ができ、同一番組を継続して受信することができる。
【００１１】
なおさらに、本発明の第５の技術手段は、上記第１乃至第４の何れか１つの技術手段に
おいて、前記受信状態変化検出手段は、前記放送信号受信手段で受信する放送信号のレベ
ルが設定レベル以下となったときに受信状態が悪化したことを検出するように構成されて
いることを特徴としている。
この第５の技術手段では、放送信号受信手段で受信した受信信号のレベルが設定レベル
以下となったときに受信状態の悪化を検出するので、受信状態の悪化を正確に検出するこ
とができる。
【００１２】
また、本発明の第６の技術手段は、上記第１乃至第４の技術手段の何れか１つにおいて
、前記放送情報保持手段は、前記放送信号を送信する送信局の送信範囲情報を保持し、
前記受信状態変化検出手段は、前記送信範囲情報と前記現在位置検出手段で検出した現
在位置とに基づいて、前記現在位置が前記選択送信局の送信範囲の外周近傍位置である場
合に受信状態が悪化したことを検出するように構成されていることを特徴としている。
【００１３】
この第６の技術手段では、現在位置と放送情報保持手段で保持する放送信号送信範囲情
報と現在位置とに基づいて受信状態が悪化しそうな状態を検出することができ、実際に受
信状態が悪化する前に放送局又は送信局の切換えを行うことができる。
さらに、本発明の第７の技術手段は、移動体に搭載された、放送信号を送信する送信局
に関する情報及び前記送信局の位置情報を少なくとも保持する放送情報保持手段と、所望
の送信局から送信される放送信号を受信する放送信号受信手段と、を備える移動体放送受
信装置の制御方法であって、前記移動体の現在位置を検出する現在位置検出工程と、前記
放送信号受信手段の受信状態の変化を検出する受信状態変化検出工程と、前記受信状態変
化検出工程で受信状態が悪化したことを検出した場合に、前記現在位置及び前記放送信号
受信手段で受信中の放送信号を送信する選択送信局に関する情報に基づいて、前記放送情
報保持手段から前記現在位置で受信可能な、前記選択送信局から送信される放送信号と同
一の放送信号を送信する送信局を検索する送信局検索工程と、前記検索された送信局に関
する情報に基づいて、前記放送信号受信手段で受信する放送信号を送信する送信局の切換
えを行う送信局切換工程と、から構成されることを特徴としている。
【００１４】
この第７の技術手段によると前述した第１の技術手段と同様の効果が得られる。
【発明を実施するための最良の形態】
【００１５】
以下、本発明の実施の形態を図面に基づいて説明する。
図１は、本発明の一実施形態を示すシステム構成図であって、図中、１は例えば車両に
搭載される移動体放送受信装置であり、この移動体放送受信装置１は、例えばアナログテ
レビ放送の放送信号を、アンテナ２を介して受信する放送信号手段としてのテレビチュー
ナ３と、このテレビチューナ３で選択された放送信号から音声及び映像信号を復元する復
調器４と、この復調器４で復調された音声信号を出力するスピーカ５及び映像信号を表示
する液晶表示器等の表示部６と、テレビチューナ３から受信信号レベルを表す受信状態情
報が入力されると共に、チャンネル選択信号をテレビチューナ３に供給する送信局選択処
理部７とを備えている。
【００１６】
送信局選択処理部７には、位置情報衛星８から送信される位置情報信号を受信し、この
位置情報信号に基づいてＧＰＳ測位演算を行って現在位置を算出する現在位置検出手段と
してのＧＰＳ測位演算部９からの現在位置情報及び放送局、送信局（サテライト局）、放
送ネットワーク系列等を記憶した放送局情報保持手段としてのデータベース１０からの送
信局情報が入力され、テレビチューナ３から入力される受信状態情報に基づいて現在視聴
している番組の受信状態を判別し、受信状態が悪化したときに、現在位置情報と復調器４
から入力される電子番組表データ又はデータベース１０に格納されている放送ネットワー
ク系列局情報に基づいて現在視聴している番組と同一番組を送信している近隣の放送局又
は送信局を探索し、探索した放送局又は送信局の周波数をチャンネル選択信号としてテレ
ビチューナ３に供給して受信する放送信号を切換える。
【００１７】
ここで、ＧＰＳ測位演算部９は、所定時間毎に位置情報衛星８から送信される位置情報
信号を受信してＧＰＳ測位演算を行うと共に、車速センサ１１で検出した車速パルスに基
づいて補正演算を行って現在位置情報を算出する。
また、送信局選択処理部７は、図２に示す送信局選択処理を所定時間毎のタイマ割込処
理として実行する。この送信局選択処理は、先ず、ステップＳ１で、テレビチューナ３か
ら入力される受信状態情報を読込み、次いでステップＳ２に移行して、読込んだ受信状態
情報の受信信号レベルＬｒが予め設定した設定レベルＬｓ以下であるか否かを判定し、Ｌ
ｒ＞Ｌｓであるときには、受信信号レベルが高くテレビチューナ３で受信したデジタル放
送信号の受信状態が良好であるものと判断してそのままタイマ割込処理を終了して所定の
メインプログラムに復帰する。
【００１８】
一方、ステップＳ２の判定結果が、Ｌｒ≦Ｌｓであるときには、受信信号レベルＬｒが
低下してテレビチューナ３で受信したデジタル放送の受信状態が悪化したものと判断して
ステップＳ３に移行し、ＧＰＳ測位演算部９で測位した現在位置情報を読込み、次いでス
テップＳ４に移行して、現在位置情報と現在受信しているチャンネル選択信号とから現在
受信している放送局を特定し、次いで、ステップＳ５に移行して、現在位置情報を基にデ
ータベース１０を検索して、現在位置で受信可能な他の送信局を探索する。
【００１９】
次いで、ステップＳ６に移行して、検索結果から現在受信している放送局と同じ放送局
の送信局（サテライト局）が存在するか否かを判定し、同じ放送局の送信局が存在する場
合には、ステップＳ７に移行して、該当する送信局の周波数等を含む選局情報を取得して
これに基づいてチャンネル選択信号を形成してテレビチューナ３に出力することにより、
テレビチューナ３の受信チャンネルを切換える。
【００２０】
一方、前記ステップＳ６の判定結果が、同じ放送局の送信局（サテライト局）が存在し
ないときには、ステップＳ８に移行して、現在受信している放送局と同じ放送局の放送ネ
ットワーク系列の放送局が存在するか否かを判定し、放送ネットワーク系列の放送局が存
在する場合に、前記ステップＳ７に移行して、該当する放送局の選局情報を取得してチャ
ンネル選択信号を形成し、これをテレビチューナ３に出力することにより、テレビチュー
ナ３の受信チャンネルを切換え、放送ネットワーク系列の放送局が存在しない場合に、そ
のままタイマ割込処理を終了して所定のメインプログラムに復帰する。
【００２１】
この図２の送信局選択処理において、ステップＳ１及びＳ２の処理が受信状態変化検出
手段に対応し、ステップＳ３〜ステップＳ５の処理が送信局検索手段に対応し、ステップ
Ｓ６〜Ｓ７の処理が送信局切換手段に対応している。
次に、上記実施形態の動作を説明する。
今、車両の走行状態で、送信局選択処理部７によってアナログテレビ放送の所望チャン
ネルを受信した状態で例えば後部座席に配設された表示部６で表示しているものとする。
このときの、視聴しているチャンネルの受信状態が良好であるときには、テレビチューナ
３から送信局選択処理部７に入力される受信状態情報が受信信号レベルＬｒが設定レベル
Ｌｓより高いレベルとなっているので、この送信局選択処理部７で図２の送信局選択処理
が開始されたときに、ステップＳ１からステップＳ２を経てタイマ割込処理を終了するこ
とになり、テレビチューナ３に対するチャンネル選択信号が変更されることはなく、現在
視聴している番組を継続して視聴することができる。
【００２２】
ところが、車両が移動して、現在のチャネルのテレビ放送信号を送信している送信局の
送信範囲の送信限界付近に到達すると、テレビチューナ３での受信状態が悪化し、テレビ
チューナ３から入力される受信状態信号で表される受信信号レベルＬｒが設定レベルＬｓ
以下に低下する。この状態となると、図２の送信局選択処理において、ステップＳ２から
ステップＳ３に移行して、ＧＰＳ測位演算部９で測位される現在位置情報を読込み、次い
でステップＳ４に移行して現在位置情報と現在のチャンネル選択信号とから現在受信して
いる放送局を特定する。
【００２３】
そして、特定された放送局と現在位置情報とを基にデータベース１０を検索して、現在
位置で受信可能な他の送信局を全て探索し（ステップＳ５）、探索結果から現在受信して
いる放送局の他の送信局（サテライト局）が存在するか否かを判定する（ステップＳ６）
。このとき、現在受信している放送局の他の送信局が存在する場合には、当然同一番組の
放送信号を送信しているので、該当する送信局の選局情報を取得してチャンネル送信信号
を形成し、これをテレビチューナ３に出力することにより、テレビチューナ３を該当する
送信局のテレビ放送信号を受信するように切換える。このため、新たな送信局が同一放送
局に属することから同一番組を継続して視聴することができる。
【００２４】
しかしながら、現在受信している放送局の他の送信局が存在しない場合には、ステップ
Ｓ８に移行して、ステップＳ５での探索結果に、ステップＳ４で特定された放送局に基づ
いて受信可能な他の放送局から現在の放送局の属する放送ネットワーク系列の放送局が存
在するか否かを判定し、放送ネットワーク系列の放送局が存在する場合には、同一番組を
放送している可能性があるので、ステップＳ７に移行して、該当する放送ネットワーク系
列の放送局の選局情報を取得してチャンネル選択信号を形成し、これをテレビチューナ３
に出力することにより、テレビチューナ３を該当するチャンネルに切換える。このため、
放送ネットワーク系列の放送局で同一番組を放送していれば継続して同一番組を視聴する
ことができる。
【００２５】
なお、現在視聴している放送局が属する放送ネットワーク系列の放送局が存在しない場
合には、そのままタイマ割込処理を終了することにより、現在視聴している番組をそのま
ま視聴することになる。
このように、上記実施形態によれば、ＧＰＳ測位演算部９で現在位置情報を検出し、検
出した現在位置情報に基づいて近隣の受信可能な全ての放送局及び送信局（サテライト局
）を探索し、現在視聴している放送局の他の送信局（サテライト局）が存在する場合には
、該当送信局の選局情報を取得してチャネル選択信号を形成してテレビチューナ３に出力
することにより、探索した他の送信局からテレビ放送信号を受信する状態に切換えて、同
一番組を視聴することができる。同一放送局の他の送信局が存在しない場合には、現在視
聴している放送ネットワーク系列の放送局か存在する場合には、この放送ネットワーク系
列の他の放送局からのテレビ放送信号を受信するようにテレビチューナ３を切換えて、同
一番組の視聴継続を図る。
【００２６】
したがって、現在視聴している放送局の他の送信局（サテライト局）が存在しない場合
でも、現在視聴している放送局の属する放送ネットワーク系の放送局を探索するので、同
一番組を継続して視聴する確率が高くなる。
次に、本発明の第２の実施形態を図３及び図４について説明する。
この第２の実施形態では、移動体放送受信装置がデジタルテレビ放送等のデジタルテレ
ビ放送を受信可能な場合の例である。
【００２７】
すなわち、第２の実施形態では、図３に示すように、受信アンテナ２１で受信したデジ
タル放送信号を復調回路、逆インタリーブ回路、誤り訂正回路等を含む第１及び第２のデ
ジタル放送チューナ２２及び２３に供給して、映像・音声データを含む高周波デジタル変
調信号のうちから特定周波数の信号を取出してトランスポートストリーム（ＴＳ）をデマ
ルチプレクサ（ＤＥＭＵＸ）２４及び２５に供給する。ここで、デマルチプレクサ２４で
はトランスポートストリームからＭＰＥＧ２（Ｍｏｖｉｎｇ  Ｐｉｃｔｕｒｅ  Ｅｘｐｅ
ｒｔｓ  Ｇｒｏｕｐ２）のビデオストリーム、オーディオストリームと、ＰＳＩ／ＳＩ（
Ｐｒｏｇｒａｍ  Ｓｐｅｃｉｆｉｃ  Ｉｎｆｏｒｍａｔｉｏｎ／Ｓｅｒｖｉｃｅ  Ｉｎｆ
ｏｒｍａｔｉｏｎ）とを分離してビデオストリーム及びオーディオストリームとを夫々映
像信号処理回路２６及び音声信号処理回路２７に供給すると共に、ＰＳＩ／ＳＩ（Ｐｒｏ
ｇｒａｍ  Ｓｐｅｃｉｆｉｃ  Ｉｎｆｏｒｍａｔｉｏｎ／Ｓｅｒｖｉｃｅ  Ｉｎｆｏｒｍ
ａｔｉｏｎ）をＥＰＧ（Ｅｌｅｃｔｒｏｎｉｃ  Ｐｒｏｇｒａｍ  Ｇｕｉｄｅ）処理回路
２８に供給する。ここで、第１のデジタル放送チューナ２２が放送信号受信手段に対応し
ている。
【００２８】
そして、映像信号処理回路２６で処理された映像信号が表示部２９に供給されると共に
、音声信号処理回路で処理された音声信号がスピーカ３０に供給される。
一方、デマルチプレクサ２５では、第２のデジタル放送チューナ２３から供給されるト
ランスポートストリームからＰＳＩ／ＳＩを分離してＥＰＧ処理回路２８に供給する。
このＥＰＧ処理回路２８ではデマルチプレクサ２４及び２５からＰＳＩ／ＳＩが入力さ
れると、このＰＳＩ／ＳＩに含まれる電子番組表データを復号して送信局選択処理手段と
しての送信局選択処理部３１に供給する。
【００２９】
この送信局選択処理部３１には、前述した第１の実施形態と同様に現在位置検出手段と
してのＧＰＳ測位演算部９から現在位置情報が入力されると共に、放送情報保持手段とし
てのデータベース１０から送信局情報が入力され、第１のデジタル放送チューナ２２に対
してチャンネル選択信号を出力すると、このときのデマルチプレクサ２４から出力される
ＰＳＩ／ＳＩをＥＰＧ処理回路２８に供給して電子番組表データを読込んでデータベース
１０に記憶すると共に、第１のデジタル放送チューナ２２から入力される受信状態情報が
劣化したときに、第２のデジタル放送チューナ２３に対して受信可能な放送局のチャンネ
ル選択信号を順次出力してデマルチプレクサ２５から出力されるＰＳＩ／ＳＩをＥＰＧ処
理回路２８で復号した電子番組表データを順次データベース１０に記憶し、次いでデータ
ベース１０に記憶した現在受信している放送局の電子番組表データから特定される現在視
聴している番組を基に受信可能な各放送局の番組表データを検索して同一時間帯の同一番
組を検索して、検索した放送局の周波数に基づいてチャンネル選択信号を形成し、これを
第１のデジタル放送チューナ２２に出力する。
【００３０】
そして、送信局選択処理部３１で、図４に示す送信局選択処理を所定時間毎のタイマ割
込処理として実行する。
この送信局選択処理では、前述した第１の実施形態における図２の送信局選択処理にお
いて、ステップＳ１の処理が第１のデジタル放送チューナ２２から受信状態信号を読込む
処理に変更されていると共に、ステップＳ８が省略され、これに応じて、前記ステップＳ
６の判定結果が、現在受信している放送局の他の送信局が存在しない場合に、ステップＳ
１１に移行して、ステップＳ５で探索された各放送局の選局情報をデータベース１０から
読出して該当する１つの放送局のチャンネル選択信号を形成して第２のデジタル放送チュ
ーナ２３に出力し、次いでステップＳ１２に移行してＥＰＧ処理回路２８から出力される
該当する選択した放送局の電子番組表データを読込んでデータベース１０に記憶する。
【００３１】
次いで、ステップＳ１３に移行して、ステップＳ５で探索した全ての放送局について電
子番組表データの記憶が完了したか否かを判定し、電子番組表データを記憶していない放
送局が存在する場合には、前記ステップＳ１１に戻り、全ての放送局について電子番組表
データの記憶が完了したときには、ステップＳ１４に移行する。
このステップＳ１４では、データベース１０に記憶されている現在視聴している放送局
の電子番組表データと現在時刻とに基づいて視聴中の番組を特定し、次いでステップＳ１
５に移行して、特定された番組を基にデータベース１０に記憶されている現在視聴してい
る放送局を除く他の受信可能な放送局の電子番組表データを検索して、現在時刻で同一番
組を放送している放送局が存在するか否かを判定し、現在時刻で同一番組を放送している
放送局が存在する場合には前記ステップＳ１６に移行して、該当する放送局の選局情報を
データベース１０から取得してチャネル選択信号を形成し、これを第１のデジタル放送チ
ューナ２２に出力してからステップＳ１７に移行する。
【００３２】
このステップＳ１７では、デマルチプレクサ２４に対してＰＳＩ／ＳＩをＥＰＧ処理回
路２８に出力するように指令信号を出力し、次いでステップＳ１８に移行して、ＥＰＧ処
理回路２８から出力される現在視聴している放送局の電子番組表データを読込み、次いで
ステップＳ１９に移行して、読込んだ電子番組表データをデータベース１０の現在視聴放
送局用電子番組表データ格納領域に更新記憶してからタイマ割込処理を終了して所定のメ
インプログラムに復帰し、現在時刻で同一番組を放送していないときいにはそのままタイ
マ割込処理を終了して所定のメインプログラムに復帰する。
【００３３】
この図４の処理において、ステップＳ１及びＳ２の処理が受信状態変化検出手段に対応
し、ステップＳ３〜Ｓ５及びＳ１１〜Ｓ１５の処理が送信局検索手段に対応し、ステップ
Ｓ６、Ｓ７及びＳ１６の処理が送信局切換手段に対応し、ステップＳ１７〜Ｓ１９の処理
及びデータペース１０が放送情報保持手段に対応している。
次に、上記第２の実施形態の動作を説明する。
【００３４】
先ず、移動体放送受信装置１の電源をオン状態として、所望のチャンネルを選択すると
、送信局選択処理部３１かちチャンネル選択信号が第１のデジタル放送チューナ２２に出
力されることにより、この第１のデジタル放送チューナ２２から所望の放送局のトランス
ポートストリーム（ＴＳ）がデマルチプレクサ２４に出力される。このため、デマルチプ
レクサ２４からビデオストリーム及びオーディオストリームが夫々映像信号処理回路２６
及び音声信号処理回路２７に供給され、映像信号処理回路２６から出力される映像信号が
表示部２９に供給されて映像表示されると共に、音声信号処理回路２７から出力される音
声信号がスピーカ３０に供給されて放声される。このため、所望のデジタル放送局の番組
を視聴することができる。
【００３５】
このとき、デマルチプレクサ２４に対してＰＳＩ／ＳＩをＥＰＧ処理回路２８に出力す
る出力指令を出力して、ＰＳＩ／ＳＩをＥＰＧ処理回路２８に供給し、このＥＰＧ処理回
路２８で復号された電子番組表データを送信局選択処理部３１で読込み、読込んだ現在視
聴している放送局の電子番組表データをデータベース１０の現在視聴放送局用番組表デー
タ格納領域に更新記憶する。
【００３６】
このとき、所望の番組を良好に視聴しているものとすると図４の送信局選択処理が実行
されたときに、第１のデジタル放送チューナ２２から出力される受信状態情報を読込んだ
ときに受信信号レベルＬｒが設定レベルＬｓ以上となるので、そのままタイマ割込処理を
終了し、良好な視聴状態が継続される。
この良好な視聴状態から車両が走行して、現在受信している放送局又は送信局の送信範
囲の限界付近に達し、第１のデジタル放送チューナ２２から出力される受信状態信号が悪
化して受信信号レベルＬｒが設定レベルＬｓ以下となる場合には、前述した第１の実施形
態と同様に、ＧＰＳ測位演算部９で測位した現在位置情報とチャネル選択信号とから現在
受信している放送局を特定し（ステップＳ３，Ｓ４）、次いで現在位置情報を基にデータ
ベース１０を検索して現在位置で受信可能な他の送信局を探索する（ステップＳ５）。
【００３７】
そして、探索された送信局のうち、現在受信している放送局の他の送信局が存在する場
合には、該当する送信局の選局情報を取得して、チャンネル選択信号を形成して、これを
第１のデジタル放送チューナ２２に出力することにより、第１のデジタル放送チューナ２
２で該当する送信局を選択して受信し、トランスポートストリームをデマルチプレクサ２
４に出力することにより、ビデオストリーム及びオーディオストリームを映像信号処理回
路２６及び音声信号処理回路２７に供給して、映像信号及び音声信号を夫々表示部２９及
びスピーカ３０に供給して他の送信局から送信される同一番組を継続して視聴することが
できる。
【００３８】
しかしながら、同一放送局の他の送信局が存在しない場合には、受信可能な他の放送局
の選局情報をデータベース１０から読込み、その内の１つの放送局を選局するチャンネル
選択信号を第２のデジタル放送チューナ２３に出力して（ステップＳ１１）、第２のデジ
タル放送チューナ２３から選択した放送局のトランスポートストリームをデマルチプレク
サ２５に供給し、このデマルチプレクサ２５から出力されるＰＳＩ／ＳＩをＥＰＧ処理回
路２８で復号して電子番組表データを送信局選択処理部３１で読込み、これをデータベー
ス１０の所定番組データ記憶領域に記憶する（ステップＳ１２）。
【００３９】
この電子番組表データ取得処理を受信可能な放送局の全てについて繰り返し、受信可能
な全ての放送局について電子番組表データを取得してこれをデータベース１０の所定番組
データ記憶領域に記憶が完了すると、データベース１０の現在受信している放送局の電子
番組表データと現在時刻とから視聴している番組を特定する（ステップＳ１４）。
そして、特定した番組を基にデータベース１０の所定番組表データ記憶領域に記憶され
ている受信可能な各放送局の電子番組表データを検索して、現在時刻で同一の番組を放送
している他の放送局が存在するか否かを判定し（ステップＳ１５）、現在時刻で同一の番
組を放送している他の放送局が存在する場合には、該当する放送局の選局情報をデータベ
ース１０から取得し、チャンネル選択信号を形成して第１のデジタル放送チューナ２２に
出力する（ステップＳ１６）。
【００４０】
このため、第１のデジタル放送チューナ２２で同一番組を放送している他の放送局のデ
ジタル放送信号を選択して、そのトランスポートストリーム（ＴＳ）をデマルチプレクサ
２４に出力することにより、このデマルチプレクサ２４から出力されるビデオストリーム
及びオーディオストリームが夫々映像信号処理回路２６及び音声信号処理回路２７に供給
されて、映像信号及び音声信号が形成され、これら映像信号及び音声信号が表示部２９及
びスピーカ３０に供給されて、映像表示されると共に放声され、同一番組を継続して視聴
することができる。
【００４１】
このとき、デマルチプレクサ２４に対してＰＳＩ／ＳＩをＥＰＧ処理回路２８に出力す
る指令信号を出力することにより（ステップＳ１７）、ＰＳＩ／ＳＩに基づいてＥＰＧ処
理回路２８で電子番組表データを復号して、これを読込み、データベース１０の現在視聴
放送局用電子番組データ記憶領域に更新記憶する（ステップＳ１９）。
一方、現在時刻で同一の番組を放送している他の放送局が存在しない場合には、そのま
まタイマ割込処理を終了するので、現在視聴している放送局の番組を継続して視聴する。
【００４２】
このように、上記第２の実施形態によると、視聴している放送局の受信状態が劣化した
場合に、視聴している放送局の他の送信局が存在するときにはこの他の送信局を選択して
同一番組の視聴を継続し、他の送信局が存在しないときに、受信可能な全ての放送局のデ
ジタル放送信号を第２のデジタル放送チューナ２３で順次受信して、各放送局の電子番組
表データをデータベース１０に順次記憶し、現在視聴している放送局の電子番組表データ
と現在時刻とから現在視聴している番組を特定し、記憶されている受信可能な各放送局の
電子番組表データから現在時刻に特定した番組と同一番組を放送している放送局を検索し
、同一番組を放送している放送局が存在する場合に、その放送局の選局情報を取得して第
１のデジタル放送チューナ１にチャンネル選択信号を出力して該当する放送局のデジタル
放送信号の受信開始することにより、同一番組の視聴を継続することができるので、同一
番組を放送している他の放送局を正確に選択することができ、同一番組の視聴を確実に継
続することができる。
【００４３】
なお、上記第２の実施形態においては、第２のデジタル放送チューナ２３、デマルチプ
レクサ２５を設けて、現在のデジタル放送の視聴状態を継続しながら受信可能な他の放送
局の電子番組表データを取得する場合について説明したが、これに限定されるものではな
く、第２のデジタル放送チューナ２３及びデマルチプレクサ２５を省略して、インターネ
ット等のネットワークに各地の放送局の電子番組データを収集して管理するサーバを接続
し、このサーバに対して移動体放送受信装置１から無線通信網及びネットワークを介して
アクセスして現在位置及び現在視聴している番組情報を送信することにより、現在位置で
受信可能な放送局で同一番組を放送している放送局を検索して、検索結果をネットワーク
及び無線通信網を介して移動体放送受信装置１に送信し、この検索結果に基づいて送信局
選択処理部３１で第１のデジタル放送チューナ２２に対してチャンネル選択信号を出力す
るようにしてもよい。この場合には、第２のデジタル放送チューナ２３及びデマルチプレ
クサ２５を省略できるので、移動体放送受信装置１の構成を簡略化することができる。
【００４４】
また、上記第１及び第２の実施形態においては、受信状態変化検出手段として受信信号
レベルＬｒが設定レベル以下となったときに受信状態の悪化を検出する場合について説明
したが、これに限定されるものではなく、視聴又は聴取している放送局の送信範囲情報を
データベースに保持し、この送信範囲情報と現在位置とに基づいて現在位置が送信範囲の
外周近傍の受信限界位置であるときに受信状態の悪化を検出するようにしてもよい。この
場合には受信限界位置を余裕を持って設定することにより、受信状態が悪化する前に同一
番組を放送する放送局に切換えることができる。
【００４５】
さらに、上記第１及び第２の実施形態においては、アナログテレビ放送及びデジタルテ
レビ放送を移動体放送受信装置１で受信する場合について説明したが、これに限定される
ものではなくアナログラジオ放送及びデジタルラジオ放送を受信する場合にも本発明を適
用することができ、テレビ放送とラジオ放送との双方を受信する移動体放送受信装置とす
ることもできる。
【００４６】
さらにまた、上記第１及び第２の実施形態においては、移動体としての車両に移動体放
送受信装置を適用した場合について説明したが、これに限定されるものではなく、他の船
舶や航空機にも適用することができると共に、携帯型電話機やＰＤＡ等の携帯型機器に移
動体放送受信装置を適用するようにしてもよい。
【図面の簡単な説明】
【００４７】
【図１】本発明の第１の実施形態を示すブロック図である。
【図２】図１の送信局選択処理部で実行する送信局選択処理手順の一例を示すフローチャートである。
【図３】本発明の第２の実施形態を示すブロック図である。
【図４】図３の送信局選択処理部で実行する送信局選択処理手順の一例を示すフローチャートである。
【符号の説明】
【００４８】
１…移動体放送受信装置、２…受信アンテナ、３…テレビチューナ、４…復調器、５…
スピーカ、６…表示部、７…送信局選択処理部、８…位置情報衛星、９…ＧＰＳ測位演算
部、１０…データベース、１１…車速センサ、２１…受信アンテナ、２２…第１のデジタ
ル放送チューナ、２３…第２のデジタル放送チューナ、２４，２５…デマルチプレクサ、
２６…映像信号処理回路、２７…音声信号処理回路、２８…ＥＰＧ処理回路、２９…表示
部、３０…スピーカ、３１…送信局選択処理部
【図１】
2008211288.tif 000003
【図２】
2008211288.tif 000004
【図３】
2008211288.tif 000005
【図４】
2008211288.tif 000006